(57)【要約】【課題】      本考案は、ブラシの握り部分を扱い易くすると共に、マッサージ効果を付与した清掃用ブラシを提供する。【解決手段】  ブラシ本体２０と掌に把持される握り部２２とから構成される清掃用ブラシ２０であって、握り部の外側表面には複数個の突出部２２１および凹部２２２が交互に配設されてデコボコ面が形成されており、これにより、握り部を把持している使用者の掌が突出部に対して部分的に接触することで、握り部との正確な力点が形成されて握り部を把持し易くさせ、使い勝手がよくなると共に、前記握り部に交互に配置された突出部及び凹部のデコボコ面から掌が刺激を受けて血行がよくなり、掌のつぼをマッサージするという効果を生じせしめ、コンピュータで長時間作業するといったような、特に、手に疲労感の残る人の手の「こり」などを和らげるという健康管理面の利点を付与することができる構成とした。【選択図】    図２
0003114397.tif 000002
【実用新案登録請求の範囲】
【請求項１】
清掃用ブラシであって、前記清掃用ブラシは、ブラシ本体と掌に把持される握り部とから構成されており、前記握り部の外側表面には複数個の突出部および凹部が交互に形成されており、これにより、握り部を把持している使用者の掌が前記突出部に対して部分的に接触することで、握り部との正確な力点が形成され、握り部を把持し易くさせると共に、前記交互に形成された突出部及び凹部のデコボコ面から刺激を受けて、掌にマッサージ効果を作用させるようにしたことを特徴とする清掃用ブラシ。
【請求項２】
前記握り部は、弾性プラスチック材料、硬質プラスチック材料、及び木製材料からなる群から選択された部材で作られることを特徴とする請求項１記載の清掃用ブラシ。
【請求項３】
前記握り部は棒状形態に一体成型されていることを特徴とする請求項１記載の清掃用ブラシ。
【請求項４】
前記握り部の突出部及び凹部は、握り部の外側表面に、環状の円錐形突出リング及び環状の円錐形凹リングの形で、交互に等間隔で形成されていることを特徴とする請求項１記載の清掃用ブラシ。
【請求項５】
前記握り部の突出部及び凹部は、その外側周面を取り囲むようにして、円弧状に突出したブロック部と凹溝部とが交互に形成されるようにしたことを特徴とする請求項１記載の清掃用ブラシ。
【請求項６】
前記握り部の突出部は、テーパがついて円錐形に突出したブロック部が規則的にあるいは不規則に配置されて、凹部となる外表面の基礎部分から外方へ向けて伸長させたものであることを特徴とする請求項１記載の清掃用ブラシ。
【請求項７】
清掃用ブラシであって、前記清掃用ブラシは、ブラシ本体と、前記ブラシ本体に固定して接続された柱状握り部と、外側カバー本体とから構成され、前記外側カバー本体には前記柱状握り部を受け入れるための中空の組立て用孔が限定されており、そこに前記柱状握り部が嵌合されるようになると共に、前記外側カバー本体の外側表面には、複数個の交互に配置された突出部および凹部によるデコボコ面が形成されていることを特徴とする清掃用ブラシ。
【請求項８】
前記外側カバー本体の突出部及び凹部は、外側カバー本体の外側表面に、環状の円錐形突出リング及び環状の円錐形凹リングの形で、交互に等間隔で形成されていることを特徴とする請求項１記載の清掃用ブラシ。
したことを特徴とする請求項７記載の清掃用ブラシ。
【請求項９】
前記外側カバー本体の突出部及び凹部は、外側カバー本体の外側周面を取り囲むようにして、円弧状に突出したブロック部と凹溝部とが交互に形成されていることを特徴とする請求項７記載の清掃用ブラシ。
【請求項１０】
前記外側カバー本体の突出部は、テーパがついて円錐形に突出したブロック部が規則的にあるいは不規則に配置されて、凹部となる外表面の基礎部分から外方へ伸長させたものであることを特徴とする請求項７記載の清掃用ブラシ。
【考案の詳細な説明】
【技術分野】
【０００１】
本考案は、清掃用のブラシに関し、更に具体的に言うと、ブラシの握り部分を扱い易くすると共に、マッサージ効果を付与した清掃用ブラシに関する。
【背景技術】
【０００２】
図１は、従来の清掃用ブラシの斜視図である。
図１からわかるように、テーブルの表面やコンピュータを清掃するのに用いられる従来の清掃用ブラシ２０の構造は、ブラシ本体１０と、該清掃用ブラシに連結された握り部１１とが組み合わせられて構成されている。前記握り部１１は、表面が滑らかでツルツルにして作られていて、これにより使用者の掌が握り部に接触し易い面を形成している。
しかしながら、この滑らかな表面のせいで、握り部１１を握っている掌が握り部に力点を置くことができず、これが握り部１１を取り扱いづらくしている。
また、従来の清掃用ブラシでは、ほこりを清掃するという効能以外に、例えばマッサージなどの健康効果をもたらすなどの追加効用を提供することができず、これがまた、市場での競争力をなくしている。
【考案の開示】
【考案が解決しようとする課題】
【０００３】
本考案は、従来技術の欠点を改善して、握り部の外側表面に多数の突起部と凹部とを交互に形成してデコボコ面とし、握り部を保持している使用者の掌が、凹部の凹みによって限定された突出部に部分的に接触するようにして、正確な力点を形成して握り部を安定性をもって容易に保持できるようにし、これによって掃除使用中に清掃用ブラシが滑らないように構成した清掃用ブラシを提供することを目的とする。
また、本考案の第２の目的は、握り部の外側表面に交互に形成された多数の突起部と凹部とを介して、握り部を保持している掌が突出部に部分的に接触することで、マッサージ効果を生じせしめ、この交互に形成された突出部および凹部に提供される部分的な刺激を介し、清掃用ブラシの握り部を保持している掌の血行を促進することができるようにしたので、使用者、特にコンピュータで長時間にわたり作業する人々の手のこりや疲れなどを和らげることができる。  
また、簡単な構成で追加のマッサージ効果も併せて得ることができ、市場における販売競争力を向上させることのできる清掃用ブラシを提供するものである。
【課題を解決するための手段】
【０００４】
本考案に係る請求項１の清掃用ブラシは、ブラシ本体と掌に把持される握り部とから構成されており、前記握り部の外側表面には複数個の突出部および凹部が交互に形成されており、これにより、握り部を把持している使用者の掌が前記突出部に対して部分的に接触することで、握り部との正確な力点が形成され、握り部を把持し易くさせると共に、前記交互に配置された突出部及び凹部のデコボコ面から刺激を受けて、掌にマッサージ効果が得られるようにしたことを特徴とする。
【０００５】
請求項２の考案は、請求項１記載の清掃用ブラシにおいて、前記握り部は、弾性プラスチック材料、硬質プラスチック材料及び木製材料からなる群から選択された部材で作られることを特徴とする。
【０００６】
請求項３の考案は、請求項１記載の清掃用ブラシにおいて、前記握り部は棒状形態に一体成型されることを特徴とする。
請求項４の考案は、請求項１記載の清掃用ブラシにおいて、前記握り部の突出部及び凹部は、握り部の外側表面に、環状の円錐形突出リング及び環状の円錐形凹リングの形で、交互に等間隔で形成されていることを特徴とする。
請求項５の考案は、請求項１記載の清掃用ブラシにおいて、前記握り部の突出部及び凹部は、その外側周面を取り囲むようにして、円弧状に突出したブロック部と凹溝部とが交互に形成されていることを特徴とする。
請求項６の考案は、請求項１記載の清掃用ブラシにおいて、前記握り部の突出部は、テーパがついて円錐形に突出したブロック部が規則的にあるいは不規則に配置されて、凹部となる外表面の基礎部分から外方へ向けて伸長させたものであることを特徴とする。
【０００７】
請求項７に係る考案は、清掃用ブラシが、ブラシ本体と、前記ブラシ本体に固定して接続された柱状握り部と、外側カバー本体とから構成され、前記外側カバー本体には前記柱状握り部を受け入れるための中空の組立て用孔が限定されており、そこに前記柱状握り部が嵌合されるようになっていると共に、前記外側カバー本体の外側表面には、複数個の交互に形成された突出部および凹部によるデコボコ面が形成されていることを特徴とする。
【０００８】
請求項８の考案は、請求項７記載の清掃用ブラシにおいて、前記外側カバー本体の突出部及び凹部は、外側カバー本体の外側表面に、環状の円錐形突出リング及び環状の円錐形凹リングの形で、交互に等間隔で形成されていることを特徴とする。
請求項９の考案は、請求項７記載の清掃用ブラシにおいて、前記外側カバー本体の突出部及び凹部は、外側カバー本体の外側周面を取り囲むようにして、円弧状に突出したブロック部と凹溝部とが交互に形成されていることを特徴とする。
請求項１０の考案は、請求項７記載の清掃用ブラシにおいて、前記外側カバー本体の突出部は、テーパがついて円錐形に突出したブロック部が規則的にあるいは不規則に形成されて、凹部となる外表面の基礎部分から外方へ向けて伸長させたものであることを特徴とする。
【考案の効果】
【０００９】
本考案の清掃用ブラシでは、その握り部の外側表面全体に突出部と凹部を形成したことにより、清掃用ブラシを手で握ったときに掌と握り部表面が部分的に接触することで力点が置かれて、握り部をしっかりと握れるようになるため、掃除がしやすくなると共に、掃除の最中に清掃用ブラシが手から滑り落ちるようなことがないので、従来の清掃用ブラシと比較して一段と使い勝手がよい。
また、この握り部表面に形成した突出部と凹部によるデコボコ面により、握り部を手で握って掃除などをすると、掌のつぼを刺激して、マッサージ効果が得られるので、手に疲労感がのこるような人、特にコンピュータ操作を何時間も行なうような人が、この考案の清掃用ブラシをコンピュータ・デスクの周辺に配備して、手が疲れて来たときなどに気軽に清掃用ブラシを握ってデスクやコンピュータ機器等の清掃を行なうだけで、手を刺激して血行を良くし、マッサージ効果を得られるという利点があり、掃除とマッサージを同時に行なえて一挙両得である。
また、本考案の清掃用ブラシは、清掃するだけでなく、マッサージ効果も付与されているため、利便性が高く、従来品との販売競争力においても格段の競争力がある。
【考案を実施するための最良の形態】
【００１０】
以下、添付図面を参照して本考案の好適な実施の形態を詳細に説明する。
【実施例１】
【００１１】
図２は、ブラシ本体に第１形態の握り部が固定された組合せを示す本考案の清掃用ブラシの斜視図で、図３は、ブラシ本体に第２形態の握り部が固定された組合せを示す本考案の清掃用ブラシの斜視図である。図４はブラシ本体に第３形態の握り部が固定された組合せを示す本考案の清掃用ブラシの斜視図である。また、図５は、別の形態になるブラシ本体に第１形態の握り部が固定された組合せを示す清掃用ブラシの斜視図である。図６は図２に示すブラシ本体および握り部の組合せを示す清掃用ブラシの使用状態を示す概略図。図７は、本考案の清掃用ブラシの別の実施例であって、握り部が固定されたフワフワの繊維でボール状に作ったブラシ本体と、握り部を覆うように適用される外側カバー本体とを分離して構成し、希望に応じて互いの組み合わせが選択されるようになることを示す分解斜視図である。
【００１２】
図２〜図５から分かるように、本考案の清掃用ブラシ２０は、ブラシ本体２１と、該ブラシ本体２１に固定されて相互に組み合わされた握り部２２と、で構成されている。
清掃用ブラシ２０の握り部２２は、テーブル面やコンピュータ機器上を簡単に掃けるように機能するので、塵埃を効果的に取り除くことができる。握り部２２の材質は、弾性プラスチック製であっても、硬質プラスチック製であっても、木製であっても良いし、棒状形態に一体成型したものでもよい。
【００１３】
図２には、第１形態である握り部２２と、フワフワとした繊維で丸く作られたブラシ本体２１との組合せによる清掃用ブラシが示されている。この第１形態の握り部２２の外側表面には、それぞれが環状の円錐形突出リング２２１１及び環状の円錐形凹リング２２２１に作られ、等間隔に位置付けられた、複数個の突出部２２１および凹部２２２が交互に配置されている。
【００１４】
図３には、第２形態である握り部２２と、フワフワとした繊維で丸く作られたブラシ本体２１との組合せからなる清掃用ブラシが示されている。この第２形態の握り部２２は、その外側周面を取り囲むようにして、円弧状に突出した突出部２２１および凹部２２２となるブロック部２２１２と凹溝部２２２２が交互に形成されている。
【００１５】
図４には、第３形態である握り部２２と、フワフワとした繊維で丸く作られたブラシ本体２１との組合せよりなる清掃用ブラシが示されている。この第３形態の握り部２２では、テーパがついて円錐形に突出したブロック部２２１３が規則的にあるいは不規則に握り部２２の外表面に配置されていて、突出部２２１を形成し、ブロック部２２１３の基礎部となる外表面２２２３が凹部２２２と成っている。
【００１６】
ブラシ本体の形状は、図２〜４に示すような柔毛状のフワフワしたボール状のものであったり、あるいは図５に示すようなブラシ状の形態にもできる。フワフワのブラシ本体を作る場合には、その細い繊維に２色以上の柔毛繊維を使用してカラフルに作ることもできる。
【００１７】
上述の構成により、清掃用ブラシ２０の握り部２２が図６に示すように掌に保持された場合、握り部２２を握っている手は突出部２２１に部分的に接触するので、正確な力点が形成され、これにより、握り部２２の取り扱いが容易になり、清掃用ブラシ２０が手の中で適所に収まり、使用中に手から滑ってしまうことがない。
【００１８】
また、握り部表面に突出部２２１および凹部２２２が交互に形成された構成により、握り部を保持しているときに握り部の突出部と部分的に接触している掌が刺激されて、マッサージされるようになる。
従って、本考案の清掃用ブラシを使って掃除をしている最中に、握り部表面に交互に配置された突出部２２１および凹部２２２によって提供される部分的な刺激を介して、掌の血行がよくなり、使用者の手の「こり」とか「筋違いのような痛み」をほぐす効果が生まれる。その結果、特に、コンピュータ作業を長時間にわたって行なうような、手の疲れのひどい人々に対しマッサージ効果を有効にもたらすことができる、という効用を清掃用ブラシに付加することができることで、販売市場での競争力を一段と向上させることができる。
【実施例２】
【００１９】
図７には、本考案の別の実施例の清掃用ブラシを示す。上述した実施例の清掃用ブラシでは、ブラシ本体と握り部とが互いに固定されているが、この変形実施例では、柱状の握り部３２が固定されたブラシ本体３１と、柄となる外側カバー本体３３とを分離して、別体の２つの部材から構成したものである。
上述したような数種類の凹凸部を形成した外側カバー本体３３を用意し、希望に応じて互いの組み合わせが選択できるようにしてある。
【００２０】
カバー本体３３には組立て用の中空孔部３３１がその縦中心に形成されており、この孔部にブラシ本体３１に付けられた握り部３２を差し込んで、握り部３２の外側表面を覆って、清掃用ブラシとする。したがって、好みによってカバー本体３３を選択することで、ブラシ本体と、柄となるカバー本体との組合せを自由に行なえるようにしてある。
【００２１】
外側カバー本体３３の外側表面は、複数個の突出部３３２および凹部３３３が交互に等間隔に形成されていて、環状の円錐形突出リング３３２１及び環状の円錐形凹リング３３３１に作られてもよいし（図２参照）、外側周面を取り囲むようにして、円弧状に突出したブロック部３３２２と凹溝部３３３２が交互に形成されていてもよく（図３参照）、或いは、テーパがついて円錐形に突出したブロック部３３２が規則的にあるいは不規則に配置されていて、ブロック部３３２の基礎部となる外表面３３３３を凹部３３３としてもよい（図４参照）。
【００２２】
従って、上述したように、使用者が本考案の清掃用ブラシを手に取った場合、外側カバー本体の表面に交互に凹部を形成するために凹み空間を設けたことで限定される突出部が使用者の掌の皮膚に部分的に接触して、掌を刺激して血行を良くさせることで、マッサージ効果を達成することができる。
【００２３】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【図面の簡単な説明】
【００２４】
【図１】従来の清掃用ブラシの斜視図である。
【図２】ブラシ本体に第１形態の握り部が固定された組合せになる本考案の清掃用ブラシの一実施例を示す斜視図。
【図３】ブラシ本体に第２形態の握り部が固定された組合せになる本考案の清掃用ブラシの斜視図。
【図４】ブラシ本体に第３形態の握り部が固定された組合せになる本考案の清掃用ブラシの斜視図。
【図５】は、別の形態になるブラシ本体に第１形態の握り部が固定された組合せになる清掃用ブラシの斜視図。
【図６】図２に示すブラシ本体および握り部の組合せになる清掃用ブラシの使用状態を示す概略図。
【図７】握り部が固定して接続されているブラシ本体と、握り部を覆うように適用される外側カバー本体とを分離して構成した本考案の清掃用ブラシの別の実施例の分解斜視図である。
【符号の説明】
【００２５】
２０        清掃ブラシ
２１        ブラシ本体
２２        握り部
２２１      突出部
２２２      凹部
２２１１    円錐形突出リング
２２２１    円錐形凹リング
【図１】
0003114397.tif 000003
【図２】
0003114397.tif 000004
【図３】
0003114397.tif 000005
【図４】
0003114397.tif 000006
【図５】
0003114397.tif 000007
【図６】
0003114397.tif 000008
【図７】
0003114397.tif 000009